(57)【要約】      （修正有）【課題】  荷物の集荷又はカード決済において、使用する回線の種類をできるだけ少なくして費用がかからない携帯システムを得る。【解決手段】  Ｂｌｕｅｔｏｏｔｈ内蔵の決済機能付きＰＤＴ端末とＢｌｕｅｔｏｏｔｈ内蔵の携帯電話機とカードリーダ付きでＢｌｕｅｔｏｏｔｈ内蔵の携帯プリンタ装置とをドライバーが携帯し、カード情報を携帯プリンタ装置のカードリーダで読み込み、この情報を携帯プリンタ装置のＢｌｕｅｔｏｏｔｈ部がＢｌｕｅｔｏｏｔｈ網（無線）で決済機能付きＰＤＴ端末に送信し、決済機能付きＰＤＴ端末のＢｌｕｅｔｏｏｔｈ部が受信して画面に表示する。ＰＤＴ端末からＢｌｕｅｔｏｏｔｈ網で携帯電話機に送信する。携帯電話機のＢｌｕｅｔｏｏｔｈ部が受信し、この情報を携帯電話網、インターネット網で決済センターに送信して決済を受ける。この決済情報を携帯電話機が受信して、決済機能付きＰＤＴ端末、携帯プリンタ装置に送信する。【選択図】  図１
2005275965.tif 000002
【特許請求の範囲】
【請求項１】
少なくとも、荷物の集配にかかわる各種情報を送信可能な携帯用ＰＤＴ端末と、携帯電話機とからなる携帯システムで構成され、前記携帯用ＰＤＴ端末が携帯電話機を介して無線網でセンターのサーバと通信を行う携帯電話機を用いたシステムであって、
前記携帯用ＰＤＴ端末、携帯電話機は、設定されたＩＰアドレスの相手とで近距離無線通信インターフェースで通信する第１の通信部を備えてなり、
前記携帯用ＰＤＴ端末は、
前記集配にかかわる前記荷物の送り状の番号を含んだ各種情報を送信するとき、該各種情報が前記サーバに送信する種類の情報かどうかを判定する手段と、
前記各種情報が前記サーバに送信する情報と判定したときは、該サーバに送信する情報の、送信相手先を前記サーバのＩＰアドレスにした第１の上がり情報を生成する手段と、
前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、
前記第２の上がり情報を前記第１の通信部が受け取り可能な形式にした第３の上がり情報にして前記第１の通信部に送出する手段と、
前記第３の上がり情報に前記サーバのＩＰアドレスが含まれているときは、前記当該端末の第１の通信部に、前記携帯電話機のＩＰアドレスを設定する手段と
を有することを特徴とする携帯電話機を用いた携帯集配システム。
【請求項２】
前記携帯用ＰＤＴ端末は、
前記サーバと専用無線回線網で通信する第２の通信部を有し、
前記当該端末の前記第２の通信部に、前記サーバのＩＰアドレスを、又は前記当該端末の前記第１の通信部に、前記携帯電話機の前記第１の通信部のＩＰアドレスを設定する手段と、
前記各種情報を送信するとき、前記設定が前記サーバを示しているときは、前記当該端末の前記第２の通信部を起動させて、該第２の通信部で前記第１の上がり情報を送信させる手段と、
前記各種情報を送信するとき、前記設定が前記当該端末の第１の通信部を示しているときは、前記第１の通信部を起動させて前記第３の上がり情報を送信させる手段と
を有することを特徴とする請求項１記載の携帯電話機を用いた携帯集配システム。
【請求項３】
少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムであって、
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなり、
前記携帯用ＰＤＴ端末は、
前記各種情報が前記サーバに送信する情報と判定したときは、該サーバに送信する情報の送信相手先を前記サーバのＩＰアドレスにした第１の上がり情報を生成する手段と、
前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、
前記第２の上がり情報を前記第１の通信部が受け取り可能な形式にした第３の上がり情報にして前記第１の通信部に送出する手段と、
前記各種情報が印刷要求を含む印刷要求情報かどうかを判定し、第１の印刷要求情報のときは、該第１の印刷要求情報に前記携帯プリンタ装置のＩＰアドレスを付加し、かつ、前記当該端末の前記第１の通信部が受け取り可能な形式にした第２の印刷要求情報を前記当該端末の第１の通信部に出力する手段と、
前記第３の上がり情報に前記サーバのＩＰアドレスが含まれているときは、前記当該端末の第１の通信部に、前記携帯電話機のＩＰアドレスを設定し、また前記第２の印刷要求情報の場合は前記当該端末の第１の通信部に前記携帯プリンタ装置のＩＰアドレスを設定する手段と
を有し、
前記携帯プリンタ装置は、
前記携帯用ＰＤＴのＩＰアドレスを当該装置の前記第１の通信部に対して設定する手段と、
前記当該装置の前記第１の通信部を介して前記第２の印刷情報を受信したとき、該第２の印刷情報を当該装置の印刷機の印刷形式に変換して、印刷させる手段と
を有することを特徴とする携帯電話機を用いた携帯集配システム。
【請求項４】
前記携帯電話機は、
前記当該電話機の第１の通信部が前記第３の上がり情報を受信したとき、該第３の上がり情報に含まれる前記サーバのＩＰアドレスで前記サーバと前記無線網で通信して前記第３の上がり情報が示している種類のファイルを提供させて画面に表示する手段と、
前記画面に表示されたファイルのページへのアクセス情報を前記無線網で前記サーバに送信する手段と
を有することを特徴とする請求項３記載の携帯電話機を用いた携帯集配システム。
【請求項５】
少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムであって、
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなり、
前記携帯用ＰＤＴ端末は、
前記各種情報がカードで前記荷物の代金を支払うために前記サーバに送信して照会を受けるカード決済照会情報かどうかを判定し、該カード決済照会情報のときは、送信相手先を前記サーバのＩＰアドレスにした第１の上がり情報を生成する手段と、
前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、
前記第２の上がり情報を前記第１の通信部が受け取り可能な形式にした第３の上がり情報にして前記第１の通信部に送出する手段と、
前記第３の上がり情報に前記サーバのＩＰアドレスが含まれているときは、前記当該端末の第１の通信部に、前記携帯電話機のＩＰアドレスを設定し、また前記サーバから前記第３の上がり情報に対しての結果であるカード決済情報を前記当該端末の第１の通信部により受信したとき、該当該端末の第１の通信部に前記携帯プリンタ装置のＩＰアドレスを設定する手段と
を有し、
前記携帯プリンタ装置は、
前記カードの磁気データを読み取り可能なカードリーダを備え、
前記携帯電話機のＩＰアドレスを当該装置の前記第１の通信部に対して設定する手段と、
前記携帯用ＰＤＴ端末から当該装置の前記第１の通信部が前記カード決済の情報を受信したとき、前記カードリーダで読み込まれた前記磁気データに前記携帯用ＰＤＴ端末のＩＰアドレスを付加し、かつ前記当該装置の第１の通信部が読み取り可能な形式にして送出する手段と、
を有することを特徴とする携帯電話機を用いた携帯カード決済システム。
【請求項６】
前記携帯用ＰＤＴ端末は、
前記サーバと専用無線回線網で通信する第２の通信部を有し、
前記当該端末の第２の通信部に前記センターのサーバのアドレスを、又は前記当該端末の第１の通信部に前記携帯電話機のＩＰアドレスを設定する手段と、
前記カード決済の情報を送信するとき、前記設定が前記サーバを示しているときは、前記第２の通信部を起動させて、該第２の通信部で前記カード決済の情報を送信させ、前記設定が当該端末の第１の通信部を示しているときは前記第１の通信部を起動させて前記カード決済の情報を送信させる手段と
を有する請求項５記載の携帯電話機を用いた携帯カード決済システム。
【請求項７】
前記携帯用ＰＤＴ端末は、
前記暗証番号、前記送り状の番号、代金、カードの番号、カードの有効期限、カードの支払い区分、荷受人の電話番号からなるカード決済照会要求情報を入力させるための欄を有する初期カード決済画面に、担当のドライバー名を付加して表示し、この初期カード決済画面の各欄に前記カード決済照会要求情報が入力したときに、これを前記上がり情報として前記当該端末の第１の通信部又は第２の通信部に出力する手段と、
前記カード決済照会要求情報に対しての決済情報を前記サーバから前記当該端末の第１の通信部又は第２の通信部を介して受信したとき、前記送り状の番号、代金、カードの番号、カードの有効期限、カードの支払い区分、荷受人の電話番号、担当のドライバー名、前記決済情報の承認番号を明細書情報とする手段と、
前記明細書情報を送信するとき、前記当該端末の第１の通信部に前記携帯プリンタ装置のＩＰアドレスを設定する手段と
を有することを特徴とする請求項５又は請求項６のいずれかに記載の携帯電話機を用いた携帯カード決済システム。
【請求項８】
センターのサーバから無線網を介して荷物の代金の決済のための画面情報をファイルで受信して、送信指示に伴って前記サーバに情報を送受する携帯電話機と、携帯プリンタ装置とからなるシステムであって、
前記携帯電話機及び前記携帯プリンタ装置は、設定されたＩＰアドレスの相手とで近距離無線通信インターフェースで通信する通信部をそれぞれ備えてなり、
前記携帯電話機は、
暗証番号、前記送り状の番号、代金、カードの番号、カードの有効期限、カードの支払い区分、荷受人の電話番号からなるカード決済照会要求情報を入力させるための欄を有する初期カード決済画面を前記サーバから提供させ、これに担当のドライバー名を付加して表示する手段と、
前記初期カード決済画面の各欄に前記カード決済照会要求情報が入力したときに、これを前記上がり情報として前記無線網を介して前記サーバに送信する手段と、
前記カード決済照会要求情報に対しての決済情報を前記サーバから前記当該電話機の第１の通信部が受信したとき、前記送り状の番号、代金、カードの番号、カードの有効期限、カードの支払い区分、荷受人の電話番号、担当のドライバー名、前記決済情報の承認番号を明細書情報として作成する手段と、
前記明細書情報を送信するとき、当該電話機の第１の通信部に前記携帯プリンタ装置のＩＰアドレスを付加し設定して、前記明細書情報を送信させる手段と
を有し、
前記携帯プリンタ装置は、
前記カードの磁気データを読み取り可能なカードリーダを及び印刷機を備え、
前記携帯電話機のＩＰアドレスを当該装置の前記第１の通信部に対して設定する手段と、
前記携帯電話機に前記磁気データを送出するとき、前記明細書情報を当該プリンタ装置に送信させるためのコマンドを付加して送信する手段と、
前記明細書情報を前記当該装置の第１の通信部が受信したとき、前記印刷機で印刷させる手段と
を有することを特徴とする携帯電話機を用いた携帯カード決済システム。
【発明の詳細な説明】
【技術分野】
【０００１】
本発明は、携帯電話機を用いた集配システム及び携帯電話機を用いたカー    ド決済システムに関し、特にカードで荷物の代金を決済するときに、使用する回線の種類をできるだけ少なくして費用を抑えることを可能とするシステムに関する。
【背景技術】
【０００２】
一般に宅配業者のドライバーは、図１３に示すように、携帯電話機１及びＰＤＴ端末２並びにプリンタ３等を有して、集荷、配達を行う。
【０００３】
ＰＤＴ端末２は、画面と、各種ボタン（テンキー、カード決済ボタン、バーコードリーダ用ボタン、プリンタ機能等）と、クレジットカード又はデビットカード等のカード情報を読みとるためのカードリーダ等を備えている。
【０００４】
そして、ドライバーが荷送人からの荷物５を、荷受人に渡すときに、荷受人が商品である荷物５の代金をカード４で支払う場合は、ドライバはＰＤＴ端末２のカード決済ボタンを押して、画面にカード決済情報を入力するための画面（以下ＰＤＴのカード決済画面という）を表示させて、電話番号、送り状番号、決済種別（一括、分割等）を入力した後に、荷受人からカード５を受け取り、カードリーダ機能でカード５の情報を読み込みさせる。このカード情報がＰＤＴのカード決済画面の所定の欄に表示される。
【０００５】
そして、ドライバーは、ＰＤＴ端末２を荷受人に渡して、暗証番号を入力させる。この暗証番号はＰＤＴのカード決済画面の所定の欄に表示される（単なる＊＊＊＊：わからないように米印）。
【０００６】
次に、ドライバーは、ＰＤＴのカード決済画面の所定の欄が埋まったことを確認して、送信ボタンを押す。
【０００７】
これによって、ＰＤＴ端末２は、専用回線（ＰＤＴ網）で、決済センター（図示せず）にＰＤＴのカード決済画面の入力情報にＰＤＴ端末番号を付加して送信して認証させて、決済させる。
【０００８】
そして、決済センターから決済したことが送信されると、ＰＤＴ端末２のプリント機能を起動させて、２枚綴りの明細書（サーマル印刷）をプリントアウトし、この明細書にサインをもらって、控えを荷受人に渡すことで、一連のカード決済の処理作業を終了する。
【０００９】
一方、ドライバは、プリンタ３を用いる場合もある。例えば、集荷にいったときに、荷送人が送り状を有していないときは、プリンタを操作して送り状を印刷して、住所、氏名等を記載し、荷物に張り付けている。
【００１０】
また、車両にはＭＡＣ無線機（図示せず）を搭載しているが、ドライバーは、営業所、顧客のやりとりに携帯電話機１を用いることが多いので、常に携帯電話機１を持ち歩いている。
【００１１】
すなわち、ドライバーは、携帯電話機１とプリンタ３とＰＤＴ端末２とを常に携行している。
【００１２】
また、特開２００２−４２０３６号広報（特許文献１）には、顧客情報管理会社及び宅配業者と双方向の無線通信が可能で、クレジットカードに記録されたカード番号と宅配便帳票に印刷された取引コードを入力する携帯端末を有し、この携帯端末のカード番号を顧客情報管理会社に送って認証を受けることが開示されている。
【特許文献１】特開２００２−４２０３６号
【発明の開示】
【発明が解決しようとする課題】
【００１３】
しかしながら、携帯電話機は携帯電話網を用いるものであり、ＰＤＴ端末はＣＦカード網又はデータ通信網（総称してＰＤＴ網ともいう）を用いるものである。すなわち、２つの回線網を用いることになるから、宅配業者にとっては、カード決済、集荷には費用がかかるという課題があった。
【００１４】
また、ドライバーはプリンタを携帯しているのにもかかわらず、ＰＤＴ端末にもプリンタを備えている。
【００１５】
つまり、ドライバーは２つのプリンタを有していることになるので、費用がかかるという課題があった。
【００１６】
また、特許文献１のものは、プリンタ内蔵の専用の通信端末で顧客情報管理会社と通信を行うものであるので、端末が大型になるという課題があった。
【００１７】
本発明は以上の課題を解決するためになされたもので、荷物の集荷又はカード決済において、使用する回線の種類をできるだけ少なくすることで費用がかからない集荷システムを得ることを目的とする。
【課題を解決するための手段】
【００１８】
本発明の携帯電話機を用いた携帯集配システムは、少なくとも、荷物の集配にかかわる各種情報を送信可能な携帯用ＰＤＴ端末と、携帯電話機とからなる携帯システムで構成され、前記携帯用ＰＤＴ端末が携帯電話機を介して無線網でセンターのサーバと通信を行う携帯電話機を用いたシステムである。
【００１９】
前記携帯用ＰＤＴ端末、携帯電話機は、設定されたＩＰアドレスの相手とで近距離無線通信インターフェースで通信する第１の通信部を備えてなる。
【００２０】
前記携帯用ＰＤＴ端末は、
前記集配にかかわる前記荷物の送り状の番号を含んだ各種情報を送信するとき、該各種情報が前記サーバに送信する種類の情報かどうかを判定する手段と、前記各種情報が前記サーバに送信する情報と判定したときは、該サーバに送信する情報の、送信相手先を前記サーバのＩＰアドレスにした第１の上がり情報を生成する手段と、前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、前記第２の上がり情報を前記第１の通信部が受け取り可能な形式にした第３の上がり情報にして前記第１の通信部に送出する手段と、前記第３の上がり情報に前記サーバのＩＰアドレスが含まれているときは、前記当該端末の第１の通信部に、前記携帯電話機のＩＰアドレスを設定する手段とを備えたことを要旨とする。
【００２１】
また、本発明の携帯電話機を用いた携帯集配システムは、少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムである。
【００２２】
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなる。
【００２３】
前記携帯用ＰＤＴ端末は、前記各種情報が前記サーバに送信する情報と判定したときは、該サーバに送信する情報の送信相手先を前記サーバのＩＰアドレスにした第１の上がり情報を生成する手段と、前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、前記第２の上がり情報を前記第１の通信部が受け取り可能な形式にした第３の上がり情報にして前記第１の通信部に送出する手段と、前記各種情報が印刷要求を含む印刷要求情報かどうかを判定し、第１の印刷要求情報のときは、該第１の印刷要求情報に前記携帯プリンタ装置のＩＰアドレスを付加し、かつ、前記当該端末の前記第１の通信部が受け取り可能な形式にした第２の印刷要求情報を前記当該端末の第１の通信部に出力する手段と、前記第３の上がり情報に前記サーバのＩＰアドレスが含まれているときは、前記当該端末の第１の通信部に、前記携帯電話機のＩＰアドレスを設定し、また前記第２の印刷要求情報の場合は前記当該端末の第１の通信部に前記携帯プリンタ装置のＩＰアドレスを設定する手段とを有する。
【００２４】
前記携帯プリンタ装置は、前記携帯用ＰＤＴのＩＰアドレスを当該装置の前記第１の通信部に対して設定する手段と、前記当該装置の前記第１の通信部を介して前記第２の印刷情報を受信したとき、該第２の印刷情報を当該装置の印刷機の印刷形式に変換して、印刷させる手段とを備えたことを要旨とする。
【００２５】
また、本発明の携帯電話機を用いた携帯集配システムは、少なくとも、荷物の集配にかかわる各種情報を送信可能な携帯用ＰＤＴ端末と、携帯電話機と、携帯プリンタ装置とからなる携帯システムで構成され、前記携帯用ＰＤＴ端末が携帯電話機を介して無線網でセンターのサーバとが通信を行うシステムである。
【００２６】
前記携帯用ＰＤＴ端末、前記携帯電話機及び前記携帯プリンタ装置は、設定されたＩＰアドレスの相手とで近距離無線通信インターフェースで通信する第１の通信部をそれぞれ備えてなる。
【００２７】
前記携帯用ＰＤＴ端末は、前記各種情報がカードで前記荷物の代金を支払うために前記サーバに送信して照会を受けるカード決済照会情報かどうかを判定し、該カード決済照会情報のときは、送信相手先を前記サーバのＩＰアドレスにした第１の上がり情報を生成する手段と、前記サーバから第１の上がり情報に係わる下り情報を前記サーバから受信したとき、該下り情報を当該端末に前記近距離無線通信インターフェースで送信させるためのコマンドを付加した第２の上がり情報を生成する手段と、前記第２の上がり情報を前記第１の通信部が受け取り可能な形式にした第３の上がり情報にして前記第１の通信部に送出する手段と、前記第３の上がり情報に前記サーバのＩＰアドレスが含まれているときは、前記当該端末の第１の通信部に、前記携帯電話機のＩＰアドレスを設定し、また前記サーバから前記第３の上がり情報に対しての結果であるカード決済情報を前記当該端末の第１の通信部により受信したとき、該当該端末の第１の通信部に前記携帯プリンタ装置のＩＰアドレスを設定する手段とを備える。
【００２８】
前記携帯プリンタ装置は、前記カードの磁気データを読み取り可能なカードリーダを備える。
【００２９】
前記携帯電話機のＩＰアドレスを当該装置の前記第１の通信部に対して設定する手段と、前記携帯用ＰＤＴ端末から当該装置の前記第１の通信部が前記カード決済の情報を受信したとき、前記カードリーダで読み込まれた前記磁気データに前記携帯用ＰＤＴ端末のＩＰアドレスを付加し、かつ前記当該装置の第１の通信部が読み取り可能な形式にして送出する手段とを備えたことを要旨とする。
【００３０】
さらに、本発明の携帯電話機を用いた携帯カード決済システムは、センターのサーバから無線網を介して荷物の代金の決済のための画面情報をファイルで受信して、送信指示に伴って前記サーバに情報を送受する携帯電話機と、携帯プリンタ装置とからなるシステムである。
【００３１】
前記携帯電話機及び前記携帯プリンタ装置は、設定されたＩＰアドレスの相手とで近距離無線通信インターフェースで通信する通信部をそれぞれ備えてなる。  前記携帯電話機は、
暗証番号、前記送り状の番号、代金、カードの番号、カードの有効期限、カードの支払い区分、荷受人の電話番号からなるカード決済照会要求情報を入力させるための欄を有する初期カード決済画面を前記サーバから提供させ、これに担当のドライバー名を付加して表示する手段と、前記初期カード決済画面の各欄に前記カード決済照会要求情報が入力したときに、これを前記上がり情報として前記無線網を介して前記サーバに送信する手段と、前記カード決済照会要求情報に対しての決済情報を前記サーバから前記当該電話機の第１の通信部が受信したとき、前記送り状の番号、代金、カードの番号、カードの有効期限、カードの支払い区分、荷受人の電話番号、担当のドライバー名、前記決済情報の承認番号を明細書情報として作成する手段と、前記明細書情報を送信するとき、当該電話機の第１の通信部に前記携帯プリンタ装置のＩＰアドレスを付加し設定して、前記明細書情報を送信させる手段とを備える。
【００３２】
前記携帯プリンタ装置は、
前記カードの磁気データを読み取り可能なカードリーダを及び印刷機を備え、
前記携帯電話機のＩＰアドレスを当該装置の前記第１の通信部に対して設定する手段と、前記携帯電話機に前記磁気データを送出するとき、前記明細書情報を当該プリンタ装置に送信させるためのコマンドを付加して送信する手段と、前記明細書情報を前記当該装置の第１の通信部が受信したとき、前記印刷機で印刷させる手段とを備えたことを要旨とする。
【発明の効果】
【００３３】
以上のように本発明によれば、決済機能付きＰＤＴ、携帯プリンタ、携帯電話機は、近距離無線通信インターフェースで無線通信を行う通信部を有して情報の送受を行い、センターとは携帯電話機の回線を用いて行うので、荷物の集荷又はカード決済において、使用する費用がかかる網は少なくなるので、費用を抑えることができるという効果が得られている。
【００３４】
また、携帯電話機を使用するかどうかは、ドライバが設定できるようにしているので、ドライバーに対しても費用の負担がかからないという効果が得られている。
【発明を実施するための最良の形態】
【００３５】
＜実施の形態１＞
図１は本実施の形態１の携帯電話機を用いた荷物の集配システムの概略構成図である。本実施の形態ではカード決済を一例にして説明する。
【００３６】
図１に示すように、Ｂｌｕｅ  ｔｏｏｔｈ内蔵の決済機能付きＰＤＴ端末１０とＢｌｕｅ  ｔｏｏｔｈ内蔵の携帯電話機１１（ｉモード、ＪＡＶ、ＰＨＳ：登録商標）とカードリーダ付きでＢｌｕｅ  ｔｏｏｔｈ内蔵の携帯プリンタ装置１２とをドライバーＡが携帯し、カード５の情報（以下カード情報という）を携帯プリンタ装置１２のカードリーダ１４で読み込みさせる。そして、このカード情報を携帯プリンタ装置１２のＢｌｕｅ  ｔｏｏｔｈ部１５がＢｌｕｅ  ｔｏｏｔｈ網（無線）で決済機能付きＰＤＴ端末１０（ＰＤＴ：Ｐｏｒｔａｂｌｅ  Ｄａｔａ  Ｔｅｒｍｉｎａｌ）に送信し、決済機能付きＰＤＴ端末１０のＢｌｕｅ  ｔｏｏｔｈ部１６が受信して、画面１７に表示する。そして、ドライバＡの送信ボタンの指示によって、Ｂｌｕｅ  ｔｏｏｔｈ部１６がＢｌｕｅ  ｔｏｏｔｈ網（無線）で携帯電話機１１に送信する。
【００３７】
次に、携帯電話機１１のＢｌｕｅ  ｔｏｏｔｈ部１８が受信し、この情報（上り情報ともいう）を携帯電話網１９、インターネット網２０で決済センター２１に送信して決済を受ける。そして、この決済情報（下り情報ともいう）を携帯電話機１１が受信して、決済機能付きＰＤＴ端末１０、携帯プリンタ装置１２に送信する。
【００３８】
前述のＢｌｕｅ  ｔｏｏｔｈは、１０ｍ程度の近距離無線通信インターフェース規格であり、最大通信速度は１Ｍビット／秒である。また、通信方式に周波数ホッピングによるスぺクトラム拡散を行って複数の端末間通信の同時利用を可能としている。また、意図しない端末同士の誤接続を防止するため、端末には４８ｂｉｔ長のユニークなＩＤが割り当てられ、ユーザ設定による１〜１６バイトのパスワードとの併用によりセキュリティが確保されている。そして、設定されたＩＰアドレスを付加した情報を送信する。
【００３９】
（各部の説明）
決済機能付きＰＤＴ端末１０は、図２に示すように、持出業務機能部３０ａ、集荷業務機能部３０ｃ、配達業務機能部３０ｂ、降業務機能部（図示せず）、積込業務機能部（図示せず）、到着降ろし機能部（図示せず）、カード決済機能部３０ｄ、Ｂｌｕｅ  ｔｏｏｔｈ部１６、データフォーム変換部４３、データ振分部４２、バーコードリーダ（図示せず）、データ振分機能部４２、データフォーム変換部４３、切換部４５、ＣＦカード通信部４６等を備えている。以下に主要な機能のみを説明する。
【００４０】
持ち出し業務機能部３０ａは、荷物を営業店（集荷拠点）から持ち出す際に機能され、バーコードリーダで送り状の送り状番号等をリードした後に、持ち出しボタン（図示せず）を押下して、持ち出し情報として記憶する。
【００４１】
集荷業務機能部３０ｃは、荷送人の荷物を集荷するときに機能するものであり、バーコードリーダでバーコードを読み出し、集荷ボタン（図示せず）の押下で集荷情報として記憶する。
【００４２】
配達業務機能部３０ｂは、荷受人に荷物を配達したときに機能され、荷物を荷受人に渡したときに、バーコードリーダで到着伝票の番号を読み込ませ、配達ボタン（図示せず）の押下で配達完了情報として記憶する。
【００４３】
カード決済機能部３０ｄは、荷物の受け取りをカードで支払う場合に機能させるものであり、カード決済ボタン（図示せず）の押下で、初期カード決済用入力画面２８ａを表示させる（伝票番号、パスワード、電話番号、カード番号はまだ入力されていない画面）。そして、バーコードリーダで読み込まれたバーコードの送り状番号、金額を初期カード決済用入力画面２８ａの所定欄に表示し、テンキーの操作による電話番号、支払い区分等を所定欄に表示する。
【００４４】
また、Ｂｌｕｅ  ｔｏｏｔｈ部１６が受信した携帯プリンタ装置１２からのカード読取情報（カード番号、有効期限）がデータフォーム変換部４３、データ振分機能部４２を介して、当該機能に出力されると、カード番号、有効期限を抽出し、これを初期カード決済画面２８ａの所定の欄（カード番号欄、有効期限欄）に表示する。また、テンキー操作によって、暗証番号が入力すると、この暗証番号の１文字毎に＊記号にしてパスワード欄に表示させる。
【００４５】
初期カード決済画面２８ａの各欄に必要な情報が埋まったものを、これをカード決済入力情報画面２８ｂと称する。これらはメモリに一端、保存され、携帯プリンタ装置１２で明細書を印刷したときに消去される。
【００４６】
そして、送信ボタン（図示せず）が押下されると、カード決済入力情報画面２８ｂのカード番号（カード会社の会社コード含む）、暗証番号、送り状番号、金額、支払い区分、有効期限とをカード決済照会要求情報（上がり情報）としてデータ振分機能部４２に渡す。
【００４７】
さらに、カード決済機能部３０ｄは、携帯電話機１１のＢｌｕｅ  ｔｏｏｔｈ部１８から照会情報（使用不可）をデータフォーム変換部４３、データ振分機能部４２を受け取ると、これを画面２８ｂに表示する。例えば、照会情報（下り情報）の場合は、使用不可を示すアイコンを表示させ、決済情報（下り情報）のときは、決済できたことを示すアイコンを表示させる。
【００４８】
一方、前述のデータフォーム変換部４３は、Ｂｌｕｅ  ｔｏｏｔｈ部１６が受信した情報を出力したとき、この出力情報を決済機能付きＰＤＴ端末１０の各機能部が解読可能な形式のフォームに変換して、データ振分機能部４３に出力する。  また、データ振分機能部４２から当該変換部に送出された送出情報をＢｌｕｅ  ｔｏｏｔｈ部１６が読み込める形式に変換してＢｌｕｅ  ｔｏｏｔｈ部１６に出力する。
【００４９】
データ振分機能部４２は、データフォーム変換部４３からの出力情報を解読し、これを該当の機能部に出力する。
【００５０】
例えば、決済情報、照会情報、携帯プリンタ装置１２からのカード読取情報は、カード決済機能部３０ｄに出力する。また、決済センタ２１からカードの使用許可を示す決済情報（決済センター名、承認番号、カード番号）を受信したときには、カード決済機能３０ｄが保存しているカード番号（カード会社の会社コード含む）、暗証番号、送り状番号、金額、支払い区分、有効期限、及び受信した承認番号をカード決済の明細書情報として、これに携帯プリンタ装置１２の端末番号とＢｌｕｅ  ｔｏｏｔｈ部１５の番号（予め記憶されているＩＰ）を付加してデータフォーム変換部４３に出力する。すなわち、Ｂｌｕｅ  ｔｏｏｔｈ部１６は、明細書情報に含まれている携帯プリンタ装置１２のＩＰアドレスを読み出し、このＩＰアドレスを通信相手として設定する。
【００５１】
さらに、データ振分機能部４２は、カード決済照会要求情報に、決済センターのサーバのアドレスと、携帯電話機１１の端末ＩＤ（Ｂｌｕｅ  ｔｏｏｔｈ部１８の番号：予めメモリに記憶されている）とを付加してデータフォーム変換部４３に出力する。すなわち、Ｂｌｕｅ  ｔｏｏｔｈ部１６は、携帯電話機１１のＢｌｕｅ  ｔｏｏｔｈ部１８のＩＰアドレスを設定し、このＩＰを送信相手とする。
【００５２】
また、集荷機能部３０ｂで集荷ボタンの押下を示すコードと送り状番号とが出力されると、データ振分機能部４２は、ＰＤＴ端末の番号（送信元を示す）とホストコンピュータのアドレス（送信相手）を付加してデータフォーム変換部４３に出力する。
【００５３】
さらに、ＰＤＴ端末１０の切換部４５は、データ振分機能部４２とデータフォーム変換部４３との間に設けられ、操作部（図示せず）からの指示に基づいて、Ｂｌｕｅ  ｔｏｏｔｈ部１６又はＣＦカード通信部４６を選択する。
【００５４】
すなわち、Ｂｌｕｅ  ｔｏｏｔｈかＣＦカード網で情報をやりとりするかを決めることができている。
【００５５】
このため、携帯電話機１１を何らかの理由で使用させたくない場合に有効である。
【００５６】
携帯プリンタ装置１２は、図３に示すように、Ｂｌｕｅ  ｔｏｏｔｈ部１５、データフォーム変換部５０、データ振分機能部５１、サーマルプリンタ５４、カードリーダ部５５等を有している。
【００５７】
データフォーム変換部５０は、Ｂｌｕｅ  ｔｏｏｔｈ部１５が受信した情報（明細書情報）を受け取り、この明細書情報を携帯プリンタ装置１２が解読可能な形式のフォームに変換して、データ振分機能部５１に出力する。また、データ振分機能部５１から当該変換部に送出された送出情報をＢｌｕｅ  ｔｏｏｔｈ部１５が読み込める形式に変換して出力する。
【００５８】
データ振分機能部５１は、データフォーム変換部５０からの出力情報を解読し、これを該当の機能部に出力する。
【００５９】
例えば、明細書情報は、サーマルプリンタ部５４に出力し、カードリーダ部５５からのカード読取情報は、決済機能付きＰＤＴ端末１０の番号を付加してデータフォーム変換部５０に出力する。また、データ振分機能部５１は、Ｂｌｕｅ  ｔｏｏｔｈ部１５に、決済機能付きＰＤＴ端末１０のＢｌｕｅ  ｔｏｏｔｈ１６のＩＰアドレスが設定されるように、カード読取情報に付加している。
【００６０】
さらに、携帯電話機１１は、Ｂｌｕｅ  ｔｏｏｔｈ部１８を備えると共に、公衆回線と通信をするための機能（携帯電話網、インターネット網）を備え、決済センター２１からの下り情報を解読し、下り情報に決済機能付きＰＤＴ端末１０の端末番号があるときは、Ｂｌｕｅ  ｔｏｏｔｈで下り情報を送信する。また、決済機能付きＰＤＴ端末１０からの上がり情報に決済センターのアドレス情報又はホストコンピュータのアドレスが存在するときは、前述の携帯電話網で送信する。つまり、Ｂｌｕｅ  ｔｏｏｔｈ部１８には、決済機能付きＰＤＴのＩＰが設定されることになる。
【００６１】
上記のように構成された携帯電話機を用いた荷物の集配システムについて図４のシーケンスを用いて以下に説明する。
【００６２】
本実施の形態では、携帯プリンタ装置１２、決済機能付きＰＤＴ１０、携帯電話機１１は共に電源オン状態とし、携帯プリンタ装置１２、決済機能付きＰＤＴ１０、携帯電話機１１は、Ｂｌｕｅ  ｔｏｏｔｈを有し、電源オンで起動するとして説明する。
【００６３】
決済機能付きＰＤＴ１０のＢｌｕｅ  ｔｏｏｔｈ部１６と携帯電話機１１のＢｌｕｅ  ｔｏｏｔｈ部１８と携帯プリンタ装置１２のＢｌｕｅ  ｔｏｏｔｈ部１５は、予め設定されている相手先の端末ＩＤを読み、設定されているＩＤが何かを判断する（ｄ１、ｄ２、ｄ３）。
【００６４】
携帯プリンタ装置１２においては、決済機能付きＰＤＴ端末１０のＩＤ（Ｂｌｕｅ  ｔｏｏｔｈ部１５のＩＰ）と設定されて、決済機能付きＰＤＴ端末１０には、携帯プリンタ装置１２のＩＤと携帯電話機１１のＩＤ（Ｂｌｕｅ  ｔｏｏｔｈ部１８のＩＰ）とが設定されている場合は、携帯プリンタ装置１２と決済機能付きＰＤＴ端末１０とは、互いのＢｌｕｅ  ｔｏｏｔｈで通信可能状態となる（ｄ４）。また、携帯電話機１１と決済機能付きＰＤＴ端末１０とは互いのＢｌｕｅ  ｔｏｏｔｈで通信可能状態となる（ｄ５）。
【００６５】
この状態で、ドライバーが決済機能付きＰＤＴ端末１０のカード決済ボタンを押下すると、カード決済機能部３０ｄが初期カード決済画面２８ａを表示する（ｄ６）。そして、カード決済機能部３０ｂは送り状番号（伝票番号）、決済金額、支払種別、電話番号等が入力されたかどうかを判断し（ｄ７）、入力した場合は送り状番号欄に送り状番号を、伝票番号欄に送り状番号を、決済金額欄に決済金額を、電話番号欄に電話番号を、支払区別に支払い区別を表示する（ｄ８）。
【００６６】
前述の送り状番号、決済金額の入力は、バーコードリーダを起動させて読み込ませても良いし、テンキー操作で入力してもよい。
【００６７】
そして、カード読取情報が入力したかどうかを待つ（ｄ９）。このとき、カード決済機能部３０ｄは、カード５を読みとらせるメッセージを画面に表示するのが好ましい。
【００６８】
そして、ドライバーは、携帯プリンタ装置１２を操作して、荷受人からカード５を受け取り、カードリーダ部５５によって、カード５の磁気情報を読みとらせる（ｄ１０）。このカード読取情報を携帯プリンタ装置１２のデータ振分機能部５１が読み取り（ｄ１１）、データフォーム変換部５０を介してＢｌｕｅ  ｔｏｏｔｈ部１５に送出する。このとき、カード読取情報にデータ振分機能部５１がＰＤＴ１０のＩＰアドレスがＢｌｕｅ  ｔｏｏｔｈ部１５で設定されるように、予め記憶されている決済機能付きＰＤＴ端末１０のＩＰを付加して出力する。
【００６９】
Ｂｌｕｅ  ｔｏｏｔｈ部１５は、決済機能付きＰＤＴ端末１０のＩＤを送信情報に付加して、Ｂｌｕｅ  ｔｏｏｔｈ網で送信する。
【００７０】
このカード読取情報を決済機能付きＰＤＴ端末１０のＢｌｕｅ  ｔｏｏｔｈ部１６が受信する。このカード読取情報は、フォーム変換部４３、切換部４５（Ｂｌｕｅ  ｔｏｏｔｈ側）、データ振分機能部４２を介してカード決済機能部３０ｄに出力される。
【００７１】
カード決済機能部３０ｄは、カード読取情報からカード番号と有効期限とを読み込み、これを画面に表示させる（ｄ１５）。カード番号はカード番号欄に、有効期限は有効期限欄に表示する（図１２参照）。
【００７２】
次に、カード決済機能部３０ｄは、暗証番号が入力したかどうかを判断する（ｄ１６）。暗証番号の入力は、決済機能付きＰＤＴ端末１０を荷受人に渡して入力させる。
【００７３】
そして、暗証番号が入力したときは、カード決済機能部３０ｄは、暗証番号を１個毎に＊印で表示させる（ｄ１７）。つまり、わからないようにして表示させている。
【００７４】
これによって、図１に示すカード決済入力情報画面２８ｂが得られることになる。
【００７５】
次に、ドライバーは送信ボタンを押下する（ｄ１８）。この送信ボタンの押下でカード決済機能部３０ｄは、ＣＦカード網による通信かＢｌｕｅ  ｔｏｏｔｈによる通信かを判定する（ｄ１９）。
【００７６】
本実施の形態ではカード決済機能部３０ｄは切換部４５がＢｌｕｅ  ｔｏｏｔｈを選択している場合は、Ｂｌｕｅ  ｔｏｏｔｈによる通信と判断し、ＣＦ側を選択している場合はＣＦカード網による通信と判断する。すなわち、Ｂｌｕｅ  ｔｏｏｔｈかＣＦカードによる通信かをメモリ（図示せず）に設定（記憶）し、この設定情報をカード決済機能部３０ｄが読み込んでいる。
【００７７】
Ｂｌｕｅ  ｔｏｏｔｈと判定したときには、カード決済機能部３０ｄは、画面にＢｌｕｅ  ｔｏｏｔｈを用いてのカード決済であることをメッセージ表示し（ｄ２０）、再び送信ボタンが押下されたときに（ｄ２１）、カード決済照会要求情報（カード番号（カード会社の会社コード含む）、暗証番号、送り状番号、金額、支払い区分、有効期限）をデータ振分機能部４２、切換部４５、データフォーム変換部４３、Ｂｌｕｅ  ｔｏｏｔｈ部１６を介して機携帯電話機１に送信する（ｄ２２）。この送信は、好ましくは、データ量に応じて課金される網であるのが好ましい（例えばＤＯＰＡ網：登録商標）。
【００７８】
このカード決済照会要求情報は、携帯電話機１１に受信され（Ｂｌｕｅ  ｔｏｏｔｈ部１６）、この携帯電話機１１が携帯電話網、インターネット網の形式に変換して決済センター２１に専用回線２５を介して送信する（ｄ２３）。
【００７９】
また、決済センター２１はカード決済照会要求情報を解読し、カード番号と暗証番号とを認証し、認証結果がＯＫの場合は、このカード番号が使用できるものかを認証する。
【００８０】
そして、カード番号が使用できると判断したときは、年月日、時刻、カード決済照会要求情報をリンク付けして保存すると共に、ホストコンピュータ２３に送信して保存させる（ｄ２４）。
【００８１】
また、決済センター２１（サーバ）は、インターネット網、携帯電話網を介して、カード決済照会要求情報に対しての認証結果（使用不可の場合は、照会情報、使用ＯＫの場合は決済情報）を送信する（ｄ２５）。
【００８２】
この下り情報が携帯電話機１１のＢｌｕｅ  ｔｏｏｔｈ部１８（相手先のＩＰはＰＤＴ）によって、決済機能付きＰＤＴ１０に送信される（ｄ２６）。
【００８３】
そして、決済機能付きＰＤＴ１０のカード決済機能部３０ｄは、Ｂｌｕｅ  ｔｏｏｔｈ部１６、データフォーム変換部４３、切換部４５、データ振分機能部４２を介して受信し、この下り情報の結果を画面に表示する（ｄ２７）。
【００８４】
このとき、データ振分機能部４２は、下り情報が決済を示している場合、つまり、決済がＯＫとなっている場合は（ｄ２８）、カード番号（カード会社の会社コード含む）、送り状番号、金額、支払い区分、有効期限等をカード決済の明細書情報として携帯プリンタ装置１２に送出（Ｂｌｕｅ  ｔｏｏｔｈ部１６）する（ｄ２９）。この明細書情報に携帯プリンタ装置のＩＰ（ＩＤ）を付加し、Ｂｌｕｅ  ｔｏｏｔｈ部１６が相手先を携帯プリンタ装置として設定するようにしている。
【００８５】
携帯プリンタ装置１２のＢｌｕｅ  Ｔｏｏｔｈ部１５は、カード決済の明細書情報を受信し、データフォーム変換部５０を介して、データ振分機能部５１に送出する。データ振分機能部５１は、明細書情報をサーマルプリンタ５４に送出する。サーマルプリンタ５４は、明細書情報を所定の印刷形式に変換してプリントアウトする（ｄ３０）。
【００８６】
一方、図６に示すように決済機能付きＰＤＴ１０のカード決済機能部３０ｄがＣＦカード網と判定した場合は（ｄ３２）、ＣＦカード網によることをメッセージで表示する（ｄ３３）。
【００８７】
そして、再び送信ボタンが押下されたとき（ｄ３４）、カード決済照会要求情報（カード番号（カード会社の会社コード含む）、暗証番号、送り状番号、金額、支払い区分、有効期限）をデータ振分機能部４２、切換部４５、データフォーム変換部４３、ＣＦカード網用通信部４６を介して機携帯電話機１に送信する（ｄ３５）。つまり、決済センターと決済機能付きＰＤＴ端末１０は、ＣＦカードによるデータ通信を行う。
【００８８】
そして、決済センター２１はカード決済照会要求情報を解読し、カード番号と暗証番号とを認証し、認証結果がＯＫの場合は、このカード番号が使用できるものかを認証する。
【００８９】
そして、カード番号が使用できると判断したときは、年月日、時刻、カード決済照会要求情報をリンク付けして保存すると共に、ホストコンピュータ２３に送信して保存させる（ｄ３６）。
【００９０】
また、決済センター２１（サーバ）は、ＣＦカード網を介して、カード決済照会要求情報に対しての認証結果（使用不可の場合は、照会情報、使用ＯＫの場合は決済情報）をＣＦカード網で決済機能付きＰＤＴ端末１０に送信する（ｄ３７）。
【００９１】
決済機能付きＰＤＴ１０は、この下り情報を受信し、照会情報の場合は画面に使用できないことをメッセージで、また決済情報の場合は使用許可を画面に表示する。
【００９２】
そして、データ振分機能部４２は、決済センター２１から決済情報が送信されると、切換部４５をＢｌｕｅ  ｔｏｏｔｈ側に切り換えて、画面のカード番号（カード会社の会社コード含む）、送り状番号、金額、支払い区分、有効期限及び受信した決済情報の承認番号等をカード決済の明細書情報として携帯プリンタ装置１２に宛で送信させる（Ｂｌｕｅ  ｔｏｏｔｈ部１６）する（ｄ３９）。
【００９３】
携帯プリンタ装置１２のＢｌｕｅ  Ｔｏｏｔｈ部１５は、カード決済の明細書情報を受信し、データフォーム変換部５０を介して、データ振分機能部５１に送出する。データ振分機能部５１は、明細書情報をサーマルプリンタ５４に送出する。サーマルプリンタ５４は、明細書情報を所定の印刷形式に変換してプリントアウトする（ｄ４０）。
【００９４】
すなわち、ドライバーにとっては、携帯電話を介してのカード決済又はＣＦカード網を介してのカード決済が可能となる。
【００９５】
また、決済機能付きＰＤＴ、携帯電話機、携帯プリンタのＢｌｕｅ  ｔｏｏｔｈを用いた場合は、使用する回線は一種類であり、かつＢｌｕｅ  ｔｏｏｔｈ機能を有する通信ＩＣを内蔵するだけでよいので、回線の使用料は決済センターと携帯電話機だけの通信料金となるので、費用を抑えることが可能となっている。
【００９６】
＜実施の形態２＞
上記実施の形態１では電源オンに伴ってＢｌｕｅ  ｔｏｏｔｈ起動として説明したが、送信ボタンの押下で起動するようにしてもよい。この実施の形態２を図７のシーケンスを用いて以下に説明する。
【００９７】
本実施の形態２では、決済機能付きＰＤＴ１０、携帯電話機１１はオン状態として説明する。
【００９８】
ドライバーは、カード決済ボタンを押下する（ｄ５０）。カード決済機能部３０ｄが初期カード決済画面２８ａを表示する（ｄ５１）。そして、カード決済機能部３０ｂは送り状番号（伝票番号）、決済金額、支払種別、電話番号等が入力されたかどうかを判断し（ｄ５２）、入力した場合は送り状番号欄に送り状番号を、伝票番号欄に送り状番号を、決済金額欄に決済金額を、電話番号欄に電話番号を、支払区別に支払い区別を表示する（ｄ５３）。
【００９９】
前述の送り状番号、決済金額の入力は、バーコードリーダを起動させて読み込ませても良いし、テンキー操作で入力してもよい。
【０１００】
そして、携帯プリンタ１２からのカード読取情報が入力したかどうかを監視する（ｄ５４）。このとき、カード決済機能部３０ｄは、カード５を読みとらせるメッセージを画面に表示するのが好ましい。例えば、送信ボタンを表示する。
【０１０１】
次に、送信ボタンが入力した場合は、この送信ボタンはＢｌｕｅ  ｔｏｏｔｈ部１６に入力するようにする。
【０１０２】
そして、Ｂｌｕｅ  ｔｏｏｔｈ部１６は、送信ボタンの押下信号の入力で、起動して（ｄ５５）、接続相手を検索する（ｄ５６）。携帯プリンタ装置１２のＢｌｕｅ  ｔｏｏｔｈ部１８から応答があるかどうかを判定する（ｄ５６）。応答があるまで、これを繰り返す。
【０１０３】
そして、例えば、携帯プリンタ装置１２がオンにされて（ｄ５８）、携帯プリンタ装置１２のカード決済ボタン（図示せず）がオンにされ（ｄ５９）、カード５がカードリーダ５５で読みとられると（ｄ６０）、携帯プリンタ装置１２は画面にこのカード読取情報を表示する（ｄ６１）。
【０１０４】
次に、ドライバーは携帯プリンタ装置１２の送信ボタンを押下する（ｄ６２）。この送信ボタンの押下信号が携帯プリンタ装置１２のＢｌｕｅ  ｔｏｏｔｈ部１５に入力してオン状態になる（ｄ６３）。
【０１０５】
Ｂｌｕｅ  ｔｏｏｔｈ部１５は、接続相手を検索し（ｄ６４）、接続相手である決済機能付きＰＤＴ１０から応答があるかどうかを判定する（ｄ６５）。
【０１０６】
応答があった場合は、互いに接続相手を特定して通信可能状態となる（ｄ６６、ｄ６７）。そして、携帯プリンタ装置１２は、カード読取情報（カード番号、年月日、時刻、携帯プリンタ装置のＩＤ）をＢｌｕｅ  ｔｏｏｔｈ網で決済機能付きＰＤＴ１０に送信する（ｄ６８）。データ振分機能部が、送信相手をＰＤＴ１０のＩＰにさせている。
【０１０７】
一方、決済機能付きＰＤＴ１０は、図８示すように、通信可能状態になり、カード読取情報を受信すると、暗証番号が入力したかどうかを監視している（ｄ７０）。
【０１０８】
決済機能付きＰＤＴ１０は、暗証番号が入力されたときは、上記実施の形態と同様に＊印で表示（かくして表示）する（ｄ７１）。
【０１０９】
そして、ドライバーによって、送信ボタンが押下されたときは（ｄ７２）、決済機能付きＰＤＴ１０は、携帯電話機に対しての接続相手の検索を行い（ｄ７３）、携帯電話機１１から応答があるかどうかを判断する（ｄ７４）。
【０１１０】
応答があったときは、Ｂｌｕｅ  ｔｏｏｔｈで通信と判断し（ｄ７５）、携帯電話機と接続相手を特定して通信可能状態となる（ｄ７６、ｄ７７）。
【０１１１】
この状態で決済機能付きＰＤＴ１０は、カード決済照会要求情報を携帯電話機１１に送信する（ｄ７８）。
【０１１２】
このカード決済照会要求情報は、携帯電話機１１に受信され（Ｂｌｕｅ  ｔｏｏｔｈ部１６）、この携帯電話機１１が決済センター２１と接続を確立して（ｄ７９）、カード決済照会要求情報を携帯電話網、インターネット網の形式に変換して決済センター２１に送信する（ｄ８０）。
【０１１３】
また、決済センター２１はカード決済照会要求情報を解読し、カード番号と暗証番号とを認証し、認証結果がＯＫの場合は、このカード番号が使用できるものかを認証する。
【０１１４】
そして、カード番号が使用できると判断したときは、年月日、時刻、カード決済照会要求情報をリンク付けして保存すると共に、ホストコンピュータ２３に送信して保存させる（ｄ８１）。
【０１１５】
また、決済センター２１（サーバ）は、インターネット網、携帯電話網を介して、カード決済照会要求情報に対しての認証結果（使用不可の場合は、照会情報、使用ＯＫの場合は決済情報）を送信する（ｄ８２）。
【０１１６】
この下り情報が携帯電話機１１のＢｌｕｅ  ｔｏｏｔｈ部１８によって、決済機能付きＰＤＴ１０に送信される（ｄ８３）。
【０１１７】
そして、決済機能付きＰＤＴ１０は、Ｂｌｕｅ  ｔｏｏｔｈ部１６、データフォーム変換部４３、切換部４５、データ振分機能部４２を介して受信し（ｄ８３）、この下り情報の結果を画面に表示する。
【０１１８】
このとき、データ振分機能部４２は、下り情報が決済を示している場合、つまり、決済がＯＫとなっている場合は、カード番号（カード会社の会社コード含む）、送り状番号、金額、支払い区分、有効期限等をカード決済の明細書情報として携帯プリンタ装置１２に送出（Ｂｌｕｅ  ｔｏｏｔｈ部１６）する（ｄ８４）。データ振分機能部が携帯プリンタ装置１２のＩＰを明細書情報に付加してＢｌｕｅ  ｔｏｏｔｈ部１６が送信相手を携帯プリンタ装置とさせている。
【０１１９】
携帯プリンタ装置１２のＢｌｕｅ  Ｔｏｏｔｈ部１５は、カード決済の明細書情報を受信し、データフォーム変換部５０を介して、データ振分機能部５１に送出する。データ振分機能部５１は、明細書情報をサーマルプリンタ５４に送出する。サーマルプリンタ５４は、明細書情報を所定の印刷形式に変換してプリントアウトする（ｄ８５）。
【０１２０】
一方、図８に示すように決済機能付きＰＤＴ１０のカード決済機能部３０ｄがＣＦカード網と判定した場合は（ｄ８７）、ＣＦカード網によることをメッセージで表示する。
【０１２１】
そして、カード決済照会要求情報（カード番号（カード会社の会社コード含む）、暗証番号、送り状番号、金額、支払い区分、有効期限）をデータ振分機能部４２、切換部４５、データフォーム変換部４３、ＣＦカード網用通信部４６を介して機携帯電話機１１に送信する（ｄ８８）。つまり、決済センターと決済機能付きＰＤＴ端末１０は、ＣＦカードによるデータ通信を行う。
【０１２２】
そして、決済センター２１はカード決済照会要求情報を解読し、カード番号と暗証番号とを認証し、認証結果がＯＫの場合は、このカード番号が使用できるものかを認証する。
【０１２３】
そして、カード番号が使用できると判断したときは、年月日、時刻、カード決済照会要求情報をリンク付けして保存すると共に、ホストコンピュータ２３に送信して保存させる（ｄ８９）。
【０１２４】
また、決済センター２１（サーバ）は、ＣＦカード網を介して、カード決済照会要求情報に対しての認証結果（使用不可の場合は、照会情報、使用ＯＫの場合は決済情報）をＣＦカード網で決済機能付きＰＤＴ端末１０に送信する（ｄ９０）。
【０１２５】
決済機能付きＰＤＴ１０は、この下り情報を受信し、照会情報の場合は画面に使用できないことをメッセージで、また決済情報の場合は使用許可を画面に表示する。
【０１２６】
そして、決済機能付きＰＤＴ１０のデータ振分機能部４２は、決済センター２１から決済情報が送信されると、切換部４５をＢｌｕｅ  ｔｏｏｔｈ側に切り換えて、画面のカード番号（カード会社の会社コード含む）、送り状番号、金額、支払い区分、有効期限及び受信した決済情報の承認番号等をカード決済の明細書情報として携帯プリンタ装置１２に宛で送信させる（Ｂｌｕｅ  ｔｏｏｔｈ部１６）する（ｄ９２）。データ振分機能部４２が携帯プリンタ１２のＩＰを明細書情報に付加してＢｌｕｅ  ｔｏｏｔｈ部１６が送信先が携帯プリンタ１２となるようにしている。
【０１２７】
携帯プリンタ装置１２は明細書情報を所定の印刷形式に変換してプリントアウトする。
【０１２８】
すなわち、送信ボタンの押下でＢｌｕｅ  ｔｏｏｔｈがオンになるようにしているので、消費電力を押さえることができている。
【０１２９】
＜実施の形態３＞
一般に、ドライバーは、携帯ＰＤＴは常に携行しているが、決済機能付きＰＤＴは携行しないで荷受人又は荷送人に向かうときもある。あるいは何らかの原因にで決済機能付きＰＤＴが使用できないことがある。
【０１３０】
このような場合においてもカードによる決済を可能にしたのが実施の形態３である。
【０１３１】
図９は本実施の形態３の携帯電話機を用いたカード決済システムの概略構成図である。
【０１３２】
図９に示すように、Ｂｌｕｅ  ｔｏｏｔｈ内蔵の携帯電話機６１とカードリーダ付きでＢｌｕｅ  ｔｏｏｔｈ内蔵の携帯プリンタ装置６０とをドライバーＡが携帯し、カード５のカード情報を携帯プリンタ装置６０のカードリーダ１４で読み込みさせる。そして、このカード情報を携帯プリンタ装置６０のＢｌｕｅ  ｔｏｏｔｈ部１５がＢｌｕｅ  ｔｏｏｔｈ網（無線）で携帯電話機６１に送信する。
【０１３３】
次に、携帯電話機６１のＢｌｕｅ  ｔｏｏｔｈ部１８が受信し、この上り情報を携帯電話網１９、インターネット網２０で決済センター２１に送信して決済を受ける。そして、この決済情報（下り情報ともいう）を携帯電話機６１が受信して、携帯プリンタ装置６０に送信する。
【０１３４】
（各部の説明）
携帯電話機６１は、ブラウザ機能、インターネット接続機能等を有し、携帯プリンタ６０から決済ボタンの押下が知らせられたとき、決済センター２１の初期カード決済画面２８ａのページを要求し、これを画面に表示する。
【０１３５】
そして、初期カード決済用画面２８ａの各欄に所定の情報（送り状番号、伝票番号、決済金額、電話番号、支払区別、暗証番号）が入力されたとき、これをカード決済照会要求情報として決済センター２１に送信する。
【０１３６】
そして、上がり情報が決済情報である場合は、使用できるカードであることを示すアイコンを表示すると共に、携帯プリンタ６１のＩＤを付加した明細書情報をＢｌｕｅ  ｔｏｏｔｈ部１８によって送信する。
【０１３７】
携帯プリンタ装置６１は、カード決済機能部６２、Ｂｌｕｅ  ｔｏｏｔｈ部１６、データフォーム変換部４３、テンキー等を有している。
【０１３８】
カード決済機能部６２は、荷物の受け取りをカードで支払う場合に機能させるものであり、カード決済ボタン（図示せず）の押下で、携帯電話機６１に初期カード決済用入力画面２８ａを表示させるためのコマンド（カード決済）をＢｌｕｅ  ｔｏｏｔｈ部１５に出力する。
【０１３９】
Ｂｌｕｅ  ｔｏｏｔｈ部１５は、このコマンドに携帯電話機６１のＩＤ、携帯プリンタ装置６０のＩＤを付加して送信する。
【０１４０】
また、カード決済機能部６２は、カード読取情報をＢｌｕｅ  ｔｏｏｔｈ部１５に出力する。
【０１４１】
このＢｌｕｅ  ｔｏｏｔｈ部１５は、携帯電話機６１のＩＤが予め設定されている。
【０１４２】
上記のように構成された実施の形態３のシステムについて図１０のシーケンスを用いて説明する。
【０１４３】
ドライバーは携帯プリンタ装置６０のカード決済ボタン（図示せず）を押下する（ｄ１００）。
【０１４４】
このカード決済ボタンのう押下でカード決済機能部６２が動作して、携帯プリンタ装置６０の画面にカード読み取りのためのメッセージを表示する。
【０１４５】
ドライバーは、カード５をカードリーダによって読みとらせる（ｄ１０１）。このカード読取情報のカード番号及びカード会社名は画面に表示される。
【０１４６】
そして、ドライバーが送信ボタンを押下すると（ｄ１０２）、Ｂｌｕｅ  ｔｏｏｔｈ部１５は、ＰＤＴ又は携帯電話機６１を通信相手として設定しているかどうかを判定する（ｄ１０３）。本実施の形態では携帯電話機６１を通信相手に設定している。
【０１４７】
次に、携帯プリンタ装置６０と携帯電話機６１のＢｌｕｅ  ｔｏｏｔｈ部は、互いに接続を確立する（ｄ１０４）。つまり、通信可能状態になる。
【０１４８】
そして、カード決済のコマンドを携帯電話機６１に送信する（ｄ１０５）。携帯電話機６１は、カード決済であることが知らせられると、決済センター２１のＵＲＬを画面に表示し（ｄ１０６）、このＵＲＬが選択されたときは（ｄ１０７）、画面のＵＲＬで決済センター２１にアクセスする（ｄ１０８）。
【０１４９】
決済センター２１は、このアクセスによって直ちに、初期カード決済画面のファイルを携帯電話機６１に送信する（ｄ１０９）。
【０１５０】
携帯電話機６１は、初期カード決済画面２８ａに送り状番号（伝票番号）、決済金額、支払種別、電話番号等が入力されたかどうかを判断し（ｄ１１０）、入力した場合は送り状番号欄に送り状番号を、伝票番号欄に送り状番号を、決済金額欄に決済金額を、電話番号欄に電話番号を、支払区別に支払い区別を表示する（ｄ１１１）。
【０１５１】
前述の送り状番号、決済金額の入力は、決済種別は、携帯電話機６１のテンキー操作で入力する。
【０１５２】
そして、この初期カード決済情報が入力したときは、携帯電話機６１は、カード読取情報を携帯プリンタ装置１２に要求する（ｄ１１２）。Ｂｌｕｅ  ｔｏｏｔｈ部１８は、この要求に携帯電話機６１のＩＤと、携帯プリンタ装置６０のＩＤとを付加して送信する。
【０１５３】
携帯プリンタ装置６０は、前述の要求を受け取ると、直ちにカード読取情報をＢｌｕｅ  ｔｏｏｔｈで送信する（ｄ１１３）。
【０１５４】
携帯電話機６１は、このカード読取情報のカード番号を画面２８ａの所定の欄に表示させ（ｄ１１４）、暗証番号の入力かどうかを判断する（ｄ１１５）。暗証番号の入力は、携帯電話機６１を荷受人又は荷送人に渡して入力させ、表示は＊印である。つまり、携帯電話機６１には実施の形態１と同様なカード決済機能部が備えられていることになる。
【０１５５】
次に、暗証番号の入力と判断したときは、送信ボタンの押下かどうかを判断し（ｄ１１６）、送信ボタンの押下であれば、カード決済照会情報としてインターネットを介して決済センター２１に送信する（ｄ１１７）。
【０１５６】
決済センター２１は、上記実施の形態１、２と同様に決済して（ｄ１１８）、結果を携帯電話機６１に送信する（ｄ１１９）。使用不可の場合は、使用不可のアイコンを、使用ＯＫの場合は使用できることを示すアイコンを表示させる。
【０１５７】
そして、携帯電話機は、決済結果をＢｌｕｅ  ｔｏｏｔｈで携帯プリンタ装置６０に送信し（ｄ１２０）、携帯プリンタ装置６０は明細書を発行する（ｄ１２１）。
【０１５８】
すなわち、決済機能付きＰＤＴがなくとも携帯電話機６１と携帯プリンタ装置６０とでカード決済ができると共に、通信費を押さえることが可能となっている。
【０１５９】
なお、本実施の形態では図１１に示すようにＢｌｕｅ  ｔｏｏｔｈ部１６、カード決済機能部３０ｄ等を内蔵した決済機能付きＰＤＴ１０と、Ｂｌｕｅ  ｔｏｏｔｈ部１５を内蔵した携帯プリンタ装置６０と、携帯電話機６１とをドライバーが携行し、ドライバーの条件によって、携帯電話機６１と携帯プリンタ装置６０とでカード決済を行うようにしてもよいし、あるいは携帯電話機６１と携帯プリンタ装置６０とでカード決済を行わないで、カード決済機能付きＰＤＴ１０と携帯電話機１１とでカード決済を行うようにしてもよい。
【０１６０】
なお、上記実施の形態では、携帯電話機（ｉモード、ＪＡＶ、ＰＨＳ）として説明したが、携帯電話機は次世代機器と呼ばれているＩＭＴ−２０００方式であればよい。
【０１６１】
また、携帯電話機、ＰＤＴ、プリンタに備えられている携帯電話機Ｂｌｕｅ  ｔｏｏｔｈに代えて近距離無線通信インターフェースとしては無線ＬＡＮ（周波数帯２４７１〜２４９７ＭＨｚ、空中線電力１０mmワット／１ＭＨｚ）等であればよい。
【図面の簡単な説明】
【０１６２】
【図１】実施の形態１の携帯電話機を用いた荷物の集配システムの概略構成図である。
【図２】実施の形態１の決済機能付きＰＤＴの概略構成図である。
【図３】実施の形態１の携帯プリンタ装置の概略構成図である。
【図４】実施の形態１の動作を説明するシーケンス図である。
【図５】実施の形態１の動作を説明するシーケンス図である。
【図６】実施の形態１の動作を説明するシーケンス図である。
【図７】実施の形態２の動作を説明するシーケンス図である。
【図８】実施の形態２の動作を説明するシーケンス図である。
【図９】実施の形態３の携帯電話機を用いたカード決済システムの概略構成図である。
【図１０】実施の形態３の動作を説明するシーケンス図である。
【図１１】その他の実施の形態のカード決済システムの概略構成図である。
【図１２】カード決済入力情報画面の説明図である。
【図１３】従来の宅配業者のドライバーの携帯品を説明する説明図である。
【符号の説明】
【０１６３】
１０  決済機能付きＰＤＴ端末１０
１１  携帯電話機
１２  携帯プリンタ装置
１５  Ｂｌｕｅ  ｔｏｏｔｈ部
３０ａ  持出業務機能部
３０ｃ  集荷業務機能部
３０ｂ  配達業務機能部
３０ｄ  カード決済機能部
【図１】
2005275965.tif 000003
【図２】
2005275965.tif 000004
【図３】
2005275965.tif 000005
【図４】
2005275965.tif 000006
【図５】
2005275965.tif 000007
【図６】
2005275965.tif 000008
【図７】
2005275965.tif 000009
【図８】
2005275965.tif 000010
【図９】
2005275965.tif 000011
【図１０】
2005275965.tif 000012
【図１１】
2005275965.tif 000013
【図１２】
2005275965.tif 000014
【図１３】
2005275965.tif 000015